(57)【要約】      （修正有）【課題】各基地局が形成する無線エリアに識別情報を適切に割り当てる。【解決手段】無線エリア設計装置（セル設計装置１０）は、複数の無線エリアのそれぞれに対して無線エリアの数よりも少ない数の識別情報のうちの１つを割り当てる割当部１０１と、第１無線エリアに対してハンドオーバ先の候補に設定可能な第２無線エリア及び第３無線エリアの双方に割り当てられた識別情報が同一の場合、第２無線エリアの識別情報及び第３無線エリアの識別情報のうち一方を他方と異なる識別情報に設定する制御部１０３と、をパラメータ設計部１２に具備する。【選択図】図５
2019193225.tif 000002
【特許請求の範囲】
【請求項１】
複数の無線エリアのそれぞれに対して前記無線エリアの数よりも少ない数の識別情報のうちの１つを割り当てる割当部と、
第１無線エリアに対してハンドオーバ先の候補に設定可能な第２無線エリア及び第３無線エリアの双方に割り当てられた識別情報が同一の場合、前記第２無線エリアの識別情報及び前記第３無線エリアの識別情報のうち一方を他方と異なる識別情報に設定する制御部と、
を具備する無線エリア設計装置。
【請求項２】
前記制御部は、
前記複数の無線エリアのそれぞれに対して、前記第２無線エリア又は前記第３無線エリアの各々の無線エリアとともにハンドオーバ先の候補に設定可能である他の無線エリア数を算出し、
前記第２無線エリア及び前記第３無線エリアに割り当てられた識別情報のうち、前記算出した無線エリア数がより多い方の無線エリアに割り当てられた識別情報を異なる識別情報に変更する、
請求項１に記載の無線エリア設計装置。
【請求項３】
前記制御部は、
前記識別情報が変更される無線エリアに対してハンドオーバ先の候補に設定可能な無線エリアに割り当てられた識別情報を、前記異なる識別情報の設定に使用する識別情報の候補から除外する、
請求項１に記載の無線エリア設計装置。
【請求項４】
前記制御部は、
前記識別情報が変更される無線エリアをハンドオーバ先の候補に設定可能な無線エリアに割り当てられた識別情報を、前記異なる識別情報の設定に使用する識別情報の候補から除外する、
請求項１に記載の無線エリア設計装置。
【請求項５】
前記制御部は、
前記複数の無線エリアのそれぞれに対して前記識別情報が変更される無線エリアとともにハンドオーバ先の候補に設定可能な他の無線エリアに割り当てられた識別情報を、前記異なる識別情報の設定に使用する識別情報の候補から除外する、
請求項１に記載の無線エリア設計装置。
【請求項６】
複数の無線エリアのそれぞれに対して前記無線エリアの数よりも少ない数の識別情報のうちの１つを割り当て、
第１無線エリアに対してハンドオーバ先の候補に設定可能な第２無線エリア及び第３無線エリアの双方に割り当てられた識別情報が同一の場合、前記第２無線エリアの識別情報及び前記第３無線エリアの識別情報のうち一方を他方と異なる識別情報に設定する、
処理を、コンピュータに実行させる
無線エリア設計プログラム。
【発明の詳細な説明】
【技術分野】
【０００１】
本開示は、無線エリア設計装置及び無線エリア設計プログラムに関する。
【背景技術】
【０００２】
無線通信システムを運用する事業者は、複数の基地局（例えば、eNB又はgNBと呼ぶこともある）を設置することにより、サービスエリアを構築している。事業者は、基地局毎のパラメータを効率的に設計するための設計システムを用いて、セル設計の効率化を図っている（例えば、非特許文献１を参照）。例えば、設計対象のパラメータの１つとして、各基地局が形成する無線エリア（例えば、セル）を識別するための識別情報であるＰＣＩ（物理セルＩＤ：Physical Cell Identifier）がある。
【先行技術文献】
【非特許文献】
【０００３】
【非特許文献１】NTTドコモ，「LTE置局設計支援ツール（CELPLA L）の開発」，インターネットURL：https://www.nttdocomo.co.jp/corporate/technology/rd/technical_journal/bn/vol19_4/061.html
【発明の概要】
【発明が解決しようとする課題】
【０００４】
各基地局が形成する無線エリア（例えば、セル）に対する識別情報（例えば、ＰＣＩ）の割り当て方法については十分に検討されていない。
【０００５】
本開示の一態様は、各無線エリアに識別情報を適切に割り当てることを目的の１つとする。
【課題を解決するための手段】
【０００６】
本開示の一態様に係る無線エリア設計装置は、複数の無線エリアのそれぞれに対して前記無線エリアの数よりも少ない数の識別情報のうちの１つを割り当てる割当部と、第１無線エリアに対してハンドオーバ先の候補に設定可能な第２無線エリア及び第３無線エリアの双方に割り当てられた識別情報が同一の場合、前記第２無線エリアの識別情報及び前記第３無線エリアの識別情報のうち一方を他方と異なる識別情報に設定する制御部と、を備える。
【発明の効果】
【０００７】
本開示の一態様によれば、各無線エリアに識別情報を適切に割り当てできる。
【図面の簡単な説明】
【０００８】
【図１】ＰＣＩ及びＮＲＴの設計例を示す図である。
【図２】セルへのＰＣＩの割り当てが適切ではない場合のハンドオーバ処理の一例を示す図である。
【図３】ＡＮＲ機能の一例を示す図である。
【図４】無線通信システムの構成例を示す図である。
【図５】セル設計装置の構成例を示すブロック図である。
【図６】ＰＣＩ割り当て処理の一例を示すフローチャートである。
【図７】全セルリストの一例を示す図である。
【図８】同一ＰＣＩテーブルの一例を示す図である。
【図９】ＰＣＩ重複回避の対象セルを特定する処理の一例を示すフローチャートである。
【図１０】マトリクスの一例を示す図である。
【図１１】処理条件（１）の一例を示す図である。
【図１２】処理条件（２）の一例を示す図である。
【図１３】処理条件（１）及び（２）に基づく重複セルの算出処理の一例を示すフローチャートである。
【図１４】マトリクスの他の例を示す図である。
【図１５】処理条件（２）に基づく重複セルの算出処理の一例を示すフローチャートである。
【図１６】一時テーブルの一例を示す図である。
【図１７】セルｉを中心とした半径＝ＮＲＴ＿ｍａｘの内接円を有する正方形の一例を示す図である。
【図１８】処理条件（３）に基づくＰＣＩ重複回避の対象セルの特定処理の一例を示すフローチャートである。
【図１９】重複回避対象セルリストの一例を示す図である。
【図２０】ＰＣＩ重複回避の対象セルの特定処理の具体例を示す図である。
【図２１】ＰＣＩの再割り当て処理の一例を示すフローチャートである。
【図２２】再割り当て不可ＰＣＩリストの追加処理の一例を示す図である。
【図２３】セル設計装置、基地局及び端末のハードウェア構成の一例を示す図である。
【発明を実施するための形態】
【０００９】
以下、本開示の各実施の形態について、図面を参照して詳細に説明する。
【００１０】
以下では、基地局が形成する無線エリア（換言すると、カバレッジエリア）の一例として、セルについて説明する。しかし、基地局が形成する無線エリアは、セルに限定されない。
【００１１】
ＬＴＥ（Long Term Evolution）では、例えば、セルを識別する識別情報であるＰＣＩとして、５０４通りの値（例えば、１〜５０４の整数）が規定されている。
【００１２】
また、各基地局は、当該基地局にアクセスする端末がハンドオーバ（ＨＯ：handover）する他のセル（換言すると、ターゲットセル）のＰＣＩを把握するためのテーブル（例えば、ＮＲＴ（Neighbor Relation Table））を保持する。各基地局が保持するＮＲＴには、例えば、ハンドオーバ先のセルの候補のＰＣＩが示される。
【００１３】
無線通信システム内に設置される基地局数（例えば、セル数）は、例えば、数千個以上になり、ＰＣＩの数がセル数よりも少なくなる場合がある。この場合、例えば、複数のセルに対して、同一のＰＣＩが再利用して割り当てられる。同一のＰＣＩを割り当てられるセル間の関係を考慮してＰＣＩ及びＮＲＴが設計される。
【００１４】
［ＰＣＩ及びＮＲＴの設計方法］
以下、ＰＣＩ及びＮＲＴの設計方法の一例について説明する。
【００１５】
ＰＣＩ及びＮＲＴの設計では、例えば、以下の設計条件（１）、（２）及び（３）を満たすＰＣＩ及びＮＲＴが設定される。
【００１６】
設計条件（１）：「同一のＰＣＩが割り当てられるセル間を所定値以上離隔」
例えば、図１に示すように、セルＡ及びセルＰには、同一のＰＣＩ＝５０が割り当てられる。この場合、セルＡとセルＰとの間の距離は所定値（以下、「離隔距離」と呼ぶ。例えば、数ｋｍ）以上である。離隔距離は、例えば、セル間の電波干渉の大きさに応じて設定されてもよい。例えば、同一ＰＣＩが割り当てられたセルＡとセルＰとの間の距離が離隔距離未満の場合、セルＡ及びセルＰのＰＣＩが互いに異なるＰＣＩに変更（換言すると、再割り当て）される。
【００１７】
設計条件（２）：「セルのＰＣＩと、当該セルのＮＲＴに設定されるセルのＰＣＩとが異なる（PCI Collisionを防ぐ）」
例えば、図１に示すように、ＰＣＩ＝５０のセルＡが有するＮＲＴには、ＰＣＩ＝１００のセルＢ、及び、ＰＣＩ＝２００のセルＣが含まれる。ここで、セルＡのＮＲＴに含まれるセルＢ及びセルＣのＰＣＩは、セルＡのＰＣＩとそれぞれ異なる。換言すると、セルＡのＮＲＴには、セルＡのＰＣＩと同一のＰＣＩが割り当てられたセルが設定されない。仮に、図１において、セルＢ又はセルＣのＰＣＩが、セルＡのＰＣＩと同一である場合（PCI Collisionが発生する場合）、セルＢ又はセルＣのＰＣＩと、セルＡのＰＣＩとが互いに異なるＰＣＩに変更される。
【００１８】
設計条件（３）：「ＮＲＴに設定されるセル間のＰＣＩが異なる（PCI Confusionを防ぐ）」
例えば、図１に示すように、ＰＣＩ＝５０のセルＡが有するＮＲＴには、ＰＣＩ＝１００のセルＢ、及び、ＰＣＩ＝２００のセルＣが含まれる。ここで、セルＡのＮＲＴに含まれるセルＢのＰＣＩと、セルＣのＰＣＩとは異なる。換言すると、セルＡのＮＲＴには、同一ＰＣＩが割り当てられた異なるセルは設定されない。仮に、図１において、セルＡのＮＲＴに含まれるセルＢ及びセルＣのＰＣＩが同一である場合（PCI Confusionが発生する場合）、セルＢ及びセルＣのＰＣＩが互いに異なるＰＣＩに変更される。
【００１９】
以上、設計条件（１）、（２）及び（３）について説明した。
【００２０】
設計条件（１）、（２）及び（３）を満たすＰＣＩが各セルに割り当てられる場合、端末は正常にハンドオーバを行うことができる。一方、設計条件（１）、（２）又は（３）を満たさないＰＣＩが各セルに割り当てられる場合、端末のハンドオーバが失敗してしまう場合がある。図２は、ハンドオーバが失敗する場合の一例を示す。
【００２１】
図２では、一例として、セルＡのＰＣＩ＝５０、セルＢのＰＣＩ＝１００、及び、セルＣのＰＣＩ＝１００が割り当てられ、セルＡのＮＲＴにセルＢが含まれる。また、端末（図示せず）は、セルＡにアクセスしている。この端末は、セルＡからセルＢ、及び、セルＡからセルＣへ移動可能である。
【００２２】
図２において、例えば、端末がセルＡからセルＣに移動した場合、端末は、セルＣの受信品質測定結果及びセルＣのＰＣＩ＝１００をセルＡの基地局へ報告する。セルＡの基地局は、ＮＲＴを参照して、端末から報告されるＰＣＩ＝１００がセルＢであると誤って判定し、端末に対してセルＢへのハンドオーバを指示する。端末は、セルＡの基地局から指示されたセルＢへのハンドオーバを試みる。しかし、端末の実際の移動先はセルＣであるので、セルＢへのハンドオーバは失敗する。このとき、セルＡの基地局は、セルＢへのハンドオーバが失敗したと判定する。
【００２３】
このように、セルＡから端末が移動可能なセルＢ及びセルＣにそれぞれ割り当てられたＰＣＩが同一であるため、端末のハンドオーバが失敗してしまう。図２に示すハンドオーバの失敗を回避するために、各セルにおけるＰＣＩ及びＮＲＴが適切に設計される必要がある。
【００２４】
例えば、ＰＣＩ及びＮＲＴの設計には、「ＰＣＩ設計」、「ＮＲＴ設計」及び「ＰＣＩ重複回避設計」が含まれる。
【００２５】
「ＰＣＩ設計」では、例えば、基点となるセル（基点セル。図１ではセルＡ）から順に、全てのセルにＰＣＩが割り当てられる。ＰＣＩ設計の際、設計条件（１）を満たすＰＣＩが各セルに割り当てられる。例えば、全てのセルへのＰＣＩ割当の結果、設計条件（１）を満たさない場合、該当するセルのＰＣＩが変更される。
【００２６】
「ＮＲＴ設計」では、例えば、基点セル（図１ではセルＡ）から所定の距離（以下、「ＮＲＴ半径」と呼ぶ）内に存在するセルが、ハンドオーバ先の候補（又は対象）として設定される。例えば、図１のセルＡを中心とし、セルＡのＮＲＴ半径の円の範囲内に存在するセルは、セルＡからのハンドオーバ先の候補に設定可能（換言すると、ＮＲＴに設定可能）である。ＮＲＴ半径は、各セルの基地局における指向性、基地局の設置位置（例えば、屋外、屋内、又は地下）、周波数の優先度、及び、ＮＲＴに設定可能なセル数（上限値）の少なくとも１つに基づいて設定されてよい。
【００２７】
「ＰＣＩ重複回避設計」では、ＮＲＴ設計の結果、同一ＰＣＩが割り当てられた異なるセル（換言すると、ＰＣＩが重複するセル）において設計条件（２）又は設計条件（３）を満たさない場合、該当するセルのＰＣＩが変更される。
【００２８】
［ＡＮＲ機能］
ＡＮＲ機能は、基地局において、移動した端末の接続先であるセルのＰＣＩを取得し、取得したＰＣＩのセルを当該基地局のＮＲＴに設定する装置機能である。ＡＮＲ機能を適用することにより、事業者によってＮＲＴを事前に設計せずに、基地局の運用開始後に基地局によってＮＲＴが自動的に設定される。
【００２９】
図３は、ＡＮＲ機能を適用した場合のＮＲＴ設定の一例を示す。
【００３０】
例えば、図３において、ＰＣＩは、基地局の運用開始前に事前に設計される。図３では、セルＡにＰＣＩ＝５０が割り当てられ、セルＢ及びセルＣにそれぞれＰＣＩ＝１００が割り当てられる。また、図３では、運用開始前に、基地局（例えば、セルＡ）のＮＲＴにはどのセルも設定されていない。
【００３１】
基地局の運用開始後、例えば、端末がセルＡからセルＢへ移動することにより、セルＡに接続していた端末はセルＢに接続される。端末は、接続されたセルＢのＰＣＩ＝１００をセルＡに報告する。セルＡの基地局は、ＡＮＲ機能により、セルＢ（ＰＣＩ＝１００）をＮＲＴに自動的に設定する。
【００３２】
なお、図３において、ＮＲＴにセルＢが追加された後に、他の端末がセルＡからセルＣへ移動する場合（図示せず）、図２を用いて説明したように、端末のセルＣへのハンドオーバ（換言すると、端末のセルＣへの接続）は失敗する。よって、セルＡの基地局ではＡＮＲ機能は作動しない。また、図３において、仮に、端末のセルＣへのハンドオーバ動作によってセルＡの基地局においてＡＮＲ機能が作動したとしても、セルＣのＰＣＩ＝１００は、セルＡのＮＲＴに含まれるセルＢのＰＣＩと同一であるので、設計条件（３）を満たさない。よって、セルＡのＮＲＴには、セルＣは設定できない。
【００３３】
このように、ＡＮＲ機能が適用される場合、ＰＣＩが事前に設計されるのに対して、ＮＲＴは事前に設計されない。例えば、基地局の運用開始前にＰＣＩの設計結果が各基地局に設定され、基地局の運用開始後、基地局のＡＮＲ機能によって各セルのＮＲＴが自動的に設定される。このため、ＡＮＲ機能が適用される場合、上記「ＰＣＩ重複回避設計」が行われず、例えば、図３に示すＰＣＩの重複が発生し、ハンドオーバの失敗が発生しやすくなり、サービス品質が劣化してしまう。
【００３４】
そこで、本開示の一態様では、ＡＮＲ機能を適用する場合において、基地局の運用開始前に、ＰＣＩ重複回避を考慮したＰＣＩを設計する方法について説明する。
【００３５】
［無線通信システムの構成］
図４は、本開示の一態様に係る無線通信システム１の構成例を示す。図４に示す無線通信システム１は、例えば、セル設計装置１０（無線エリア設計装置に対応）と、基地局２０と、端末３０とを含む。なお、無線通信システム１において基地局２０は複数個存在する。また、無線通信システム１において端末３０は複数個存在してよい。
【００３６】
セル設計装置１０は、基地局２０に設定するパラメータ（基地局パラメータと呼ぶ）を設計する。セル設計装置１０は、設計した基地局パラメータ（例えば、ＰＣＩを含む）を、基地局２０に設定する。なお、基地局パラメータは、例えば、オペレーション装置（図示せず）を介して各基地局２０に設定されてもよい。
【００３７】
基地局２０は、例えば、ＡＮＲ機能を有する基地局である。例えば、基地局２０は、当該基地局２０にアクセスする端末３０から報告される、端末３０が接続した他の基地局のセルのＰＣＩを示すＰＣＩ情報に基づいて、ＡＮＲ機能によりＮＲＴを自動設定する。また、基地局２０は、ＮＲＴに基づいて、端末３０のハンドオーバ先のセルを決定し、決定したセルへのハンドオーバを端末３０へ指示する。
【００３８】
端末３０は、基地局２０からの指示に従って、ハンドオーバ先のセルへハンドオーバする。また、端末３０は、ハンドオーバによって接続した基地局２０のセル（例えば、ターゲットセル）に割り当てられたＰＣＩを示すＰＣＩ情報を、ハンドオーバの基点（例えば、ソースセル）の基地局２０へ報告する。
【００３９】
［セル設計装置１０の構成］
図５は、セル設計装置１０の構成の一例を示すブロック図である。セル設計装置１０は、例えば、データベース１１と、パラメータ設計部１２と、通信部１３と、を含む。
【００４０】
データベース１１は、無線通信システム１に含まれる基地局２０の基地局パラメータを保持する。基地局２０の基地局パラメータには、例えば、事業者のオペレータによって設計される情報、及び、パラメータ設計部１２によって設計される情報が含まれる。基地局パラメータの一例として、セル管理番号、ＰＣＩ、離隔距離、ＮＲＴ半径、使用周波数、緯度、経度、又は、アンテナ情報（アンテナ高、電波放射方向）がある。なお、基地局パラメータは、上記情報に限定されない。
【００４１】
パラメータ設計部１２は、無線通信システム１に含まれる複数の基地局２０に関する基地局パラメータを設計する。パラメータ設計部１２は、設計した基地局パラメータをデータベース１０１に出力する。
【００４２】
パラメータ設計部１２は、例えば、ＰＣＩ割当部１０１、判定部１０２及び制御部１０３を含む。
【００４３】
ＰＣＩ割当部１０２は、例えば、データベース１１が保持する基地局パラメータ（例えば、離隔距離）に基づいて、複数の基地局２０が形成するセルのそれぞれに対してＰＣＩをそれぞれ割り当てる。例えば、ＰＣＩ割当部１０１は、設計条件（１）を満たすＰＣＩを各セルに割り当てる。ＰＣＩ割当部１０１は、各セルに割り当てたＰＣＩを示す情報をデータベース１１及び判定部１０２に出力する。
【００４４】
判定部１０２は、例えば、データベース１１が保持する基地局パラメータ（例えば、ＮＲＴ半径）、及び、ＰＣＩ割当部１０１から入力されるＰＣＩを示す情報に基づいて、ＰＣＩの再割り当て（換言すると、ＰＣＩの変更）を行うか否かを判定する。判定部１０２は、判定結果を制御部１０３に出力する。
【００４５】
制御部１０３は、判定部１０２から入力される判定結果に基づいて、データベース１１に格納されたＰＣＩ（例えば、ＰＣＩ割当部１０１によって割り当てられたＰＣＩ）のうち、ＰＣＩの再割り当て対象であるセルのＰＣＩを異なるＰＣＩに変更する。
【００４６】
制御部１０３は、変更したＰＣＩを示す情報をデータベース１１に出力する。これにより、データベース１１に格納された、再割り当て対象のセルのＰＣＩが、変更後のＰＣＩに更新される。
【００４７】
通信部１３は、データベース１１が保持する基地局パラメータ（例えば、ＰＣＩを含む）を、各セルを形成する基地局２０へ送信する。各基地局２０は、セル設計装置１０から送信される基地局パラメータを設定する。
【００４８】
［セル設計装置１０の動作例］
図６は、セル設計装置１０においてＰＣＩを設計する処理の一例を示すフローチャートである。例えば、セル設計装置１０は、基地局２０の運用開始前に、図６に示す処理を行う。
【００４９】
セル設計装置１０は、全てのセルにＰＣＩを割り当てる（ＳＴ１）。例えば、セル設計装置１０は、設計条件（１）に従って、同一のＰＣＩが割り当てられるセル間の距離を、所定の距離（離隔距離）以上に設定する。
【００５０】
セル設計装置１０は、ＰＣＩ重複回避処理の対象の周波数ｘを決定する（ＳＴ２）。ＰＣＩ重複による問題（例えば、図２を参照）は、同一周波数を使用するセル間において発生する。換言すると、異なる周波数を使用するセル間においてＰＣＩ重複回避設計は不要である。
【００５１】
セル設計装置１０は、無線通信システム１に含まれる複数の基地局２０のセルに関する情報を示す全セルリストの中から、周波数ｘのセルであって、同一ＰＣＩ（例えば、ＰＣＩ＝ｙ）が割り当てられたセルの情報を抽出し、抽出した情報を含むリスト（以下、「同一ＰＣＩテーブルｙ」と呼ぶ）を作成する（ＳＴ３）。例えば、ＬＴＥでは、ｙは５０４通りの値を取り得る（例えば、１≦ｙ≦５０４）。この場合、同一ＰＣＩテーブルｙは、ｙ＝１〜５０４のそれぞれの値に対して作成される。なお、ｙの取り得る値は５０４通りと異なる個数でもよい。
【００５２】
図７は、全セルリストの一例を示す。図７に示す全セルリストには、例えば、セル管理番号、使用周波数（例えば、周波数帯、帯域幅、中心周波数を含む）、ＰＣＩ、ＮＲＴ半径、及び、緯度経度情報が含まれる。図７は、全てのセルのうちの一部（例えば、４個）のセルの情報を示す。また、全セルリストに含まれる情報は、図７に示す情報に限らない。全セルリストは、例えば、セル設計装置１０（例えば、図５を参照）のデータベース１１に格納されてよい。
【００５３】
図８は、一例として、ｙ＝１０の場合の同一ＰＣＩテーブルｙを示す。図８に示す同一ＰＣＩテーブルｙには、項番、セル管理番号、ＰＣＩ、ＮＲＴ半径、緯度経度情報、及び、重複数（詳細は後述する）が含まれる。なお、同一ＰＣＩテーブルｙに含まれる情報は、図８に示す情報に限らない。同一ＰＣＩテーブルｙは、例えば、セル設計装置１０（例えば、図５を参照）のデータベース１１に格納されてよい。例えば、図８に示す同一ＰＣＩテーブルｙには、図７に示す周波数ｘ＝２ＧＨｚ、及び、ＰＣＩ＝１０（例えば、ｙ＝１０）であるセルの情報が含まれる。
【００５４】
図６において、セル設計装置１０は、同一ＰＣＩテーブルｙを用いて、ＰＣＩ重複回避の対象セルを特定する（ＳＴ４）。なお、ＰＣＩ重複回避の対象セルを特定する方法の詳細については後述する。
【００５５】
セル設計装置１０は、特定したＰＣＩ重複回避の対象セルに対するＰＣＩの再割り当てを行う（ＳＴ５）。なお、ＰＣＩ重複回避の対象セルに対するＰＣＩの再割り当て方法の詳細については後述する。
【００５６】
セル設計装置１０は、ＰＣＩ重複回避処理を実行した周波数ｘと異なる、ＰＣＩ重複回避処理の対象となる他の周波数ｘが存在するか否かを判断する（ＳＴ６）。他の周波数ｘが存在する場合（ＳＴ６：Ｙｅｓ）、セル設計装置１０は、ＳＴ２の処理に戻り、他の周波数ｘに対するＰＣＩ重複回避処理を実行する。一方、他の周波数ｘが存在しない場合（ＳＴ６：Ｎｏ）、セル設計装置１０は、図６に示す処理を終了する。
【００５７】
図６に示す処理によって割り当てられたＰＣＩは、無線通信システム１に含まれる複数の基地局２０へそれぞれ設定される。
【００５８】
［ＰＣＩ重複回避の対象セルの特定方法］
次に、ＰＣＩ重複回避の対象セルの特定方法（図６のＳＴ４の処理）の詳細について説明する。
【００５９】
図９は、セル設計装置１０においてＰＣＩ重複回避の対象セルを特定する処理の一例を示すフローチャートである。
【００６０】
セル設計装置１０は、同一ＰＣＩテーブルの番号ｙの初期値を１に設定する（ＳＴ４１）。なお、同一ＰＣＩテーブルｙの初期値は１に限らず、例えば、１≦ｙ≦５０４の範囲の何れかの値を初期値に設定してもよい。
【００６１】
セル設計装置１０は、同一ＰＣＩテーブルｙを用いて、ＰＣＩ重複回避の対象セルの特定に用いるマトリクスｙ（例えば、重複セル記録用のマトリクス）を作成する（ＳＴ４２）。
【００６２】
図１０は、マトリクスｙの一例を示す。図１０では、例えば、図８に示す同一ＰＣＩテーブルｙに含まれるＮ個のセル（例えば、セル管理番号＝１、１１００、５５５０及び２２２００のＮ＝４個のセル）に対するマトリクスｙを示す。図１０に示すように、マトリクスｙの初期値として、全てのカラムの値を０に設定する。マトリクスｙは、例えば、セル設計装置１０（例えば、図５を参照）のデータベース１１に格納されてよい。
【００６３】
例えば、マトリクスｙの各カラムには、マトリクスｙの各行に対応するセル（例えば、項番１〜４の何れかのセル）が、マトリクスｙの各列に対応するセル（例えば、重複先項番１〜４の何れかのセル）との間においてＰＣＩ再割り当てを行うと判定される回数がカウントされる。また、マトリクスｙの各行における全ての列の値の総和は、マトリクスｙの各行に対応するセル（例えば、図８に示す同一ＰＣＩテーブルｙの各行に対応するセル）に対する「重複数」である。
【００６４】
図９において、セル設計装置１０は、同一ＰＣＩテーブルｙに含まれるセルの中から、処理条件（１）及び処理条件（２）に基づいて、ＰＣＩ重複回避の対象セルの候補（以下、「重複セル」と呼ぶ）を抽出する（ＳＴ４３）。なお、ＳＴ４３における、処理条件（１）及び処理条件（２）に基づく重複セルの抽出処理の詳細については後述する。
【００６５】
「処理条件（１）」は、例えば、同一周波数かつ同一ＰＣＩの２つのセル（以下、例えば、セルＡ及びセルＢと呼ぶ）において、セルＡとセルＢとの間の距離がセルＡのＮＲＴ半径又はセルＢのＮＲＴ半径より短くなる条件である。換言すると、同一周波数かつ同一ＰＣＩの２つのセルのうち、一方のセルが他方のセルをハンドオーバ先の候補（例えば、ＮＲＴ）に設定可能である場合、処理条件（１）を満たす。
【００６６】
例えば、図１１に示すように、セルＡを中心とし、半径をセルＡのＮＲＴ半径とする円の範囲内にセルＢが存在する場合、処理条件（１）を満たす。図１１に示すように、処理条件（１）を満たす場合、少なくとも、上述した設計条件（２）を満たさず、例えば、セルＡのＮＲＴに、セルＡと同一ＰＣＩのセルＢが設定されてしまう可能性がある。
【００６７】
「処理条件（２）」は、同一周波数かつ同一ＰＣＩの２つのセル（例えば、セルＡ及びセルＢ）において、セルＡ及びセルＢとは異なるセル（以下、「セルＸ」と呼ぶ）について、セルＸとセルＡとの距離、及び、セルＸとセルＢとの距離の双方が、セルＸのＮＲＴ半径より短くなる条件である。換言すると、同一周波数かつ同一ＰＣＩの２つのセルの双方をハンドオーバ先の候補（例えば、ＮＲＴ）に設定可能な他のセルが存在する場合、処理条件（２）を満たす。
【００６８】
例えば、図１２に示すように、セルＡを中心とし、半径をセルＸのＮＲＴ半径とする円と、セルＢを中心とし、半径をセルＸのＮＲＴ半径とする円とが重複する範囲内にセルＸ（図示せず）が存在する場合、処理条件（２）を満たす。図１２に示すように、処理条件（２）を満たす場合、少なくとも、上述した設計条件（３）が満たされず、例えば、セルＸのＮＲＴに、同一ＰＣＩのセルＡ及びセルＢが設定されてしまう可能性がある。
【００６９】
なお、ＮＲＴ半径は、セルのカバーするエリアの目的別に設定されてもよい。例えば、都市部をカバーするセルのＮＲＴ半径（以下、「ＮＲＴ＿ｎｏｒｍａｌ」と呼ぶこともある）が２ｋｍに設定され、山岳又は地方の過疎地をカバーするセルのＮＲＴ半径（以下、「ＮＲＴ＿ｍａｘ」と呼ぶこともある）が１０ｋｍに設定されてもよい。また、例えば、屋内の施設単位又は人口密集地をカバーするセルのＮＲＴ半径（以下、「ＮＲＴ＿ｍｉｎ」と呼ぶこともある）が１ｋｍに設定され、屋内の局所単位又は超過密エリアをカバーするセル（又はスポットセル）のＮＲＴ半径（以下、「ＮＲＴ＿ｓｐｏｔ」と呼ぶこともある）が０．５ｋｍに設定されてもよい。一例として、無線通信システム１では、各セルのＮＲＴ半径には、０．５ｋｍ、１ｋｍ、２ｋｍ及び１０ｋｍの何れか１つが設定されてもよい。なお、ＮＲＴ半径は、０．５ｋｍ、１ｋｍ、２ｋｍ及び１０ｋｍに限らず、他の値でもよい。また、ＮＲＴ半径の候補の数は４個に限らず、他の個数でもよい。
【００７０】
図９において、セル設計装置１０は、抽出した重複セルの中から、処理条件（３）に基づいて、ＰＣＩ重複回避の対象セルを特定する（ＳＴ４４）。
【００７１】
「処理条件（３）」は、処理条件（１）及び処理条件（２）の少なくとも一方を満たすセル（換言すると抽出される重複セル）における「重複数」のより多いセルを優先的にＰＣＩ重複回避の対象セルとする条件である。
【００７２】
図９において、セル設計装置１０は、変数ｙに１を加算（インクリメント）し、インクリメント後の変数ｙがＰＣＩ数（例えば、５０４）以下であるか否かを判断する（ＳＴ４５）。ｙ≦５０４の場合（ＳＴ４５：Ｙｅｓ）、セル設計装置１０による処理は、ＳＴ４２の処理に戻る。一方、ｙ＞５０４の場合（ＳＴ４５：Ｎｏ）、セル設計装置１０は、図９の処理を終了する。
【００７３】
図９に示す処理により、ＰＣＩ＝ｙ（例えば、ｙ＝１〜５０４の何れか）においてＰＣＩの再割り当ての対象となるセル（重複回避対象セル）が特定される。
【００７４】
なお、図９に示すＰＣＩ重複回避の対象セルを特定する処理は一例であって、図９に示す処理に限定されない。セル設計装置１０は、処理条件（１）及び処理条件（２）を満たすセルを特定すればよい。例えば、セル設計装置１０は、処理条件（３）を用いずに、処理条件（１）及び処理条件（２）を満たすセルをＰＣＩ重複回避の対象セルに特定してもよい。
【００７５】
次に、処理条件（１）及び処理条件（２）に基づく重複セルの抽出処理（図９のＳＴ４３の処理）の詳細について説明する。
【００７６】
図１３は、処理条件（１）及び処理条件（２）に基づいて重複セルを抽出する処理の一例を示すフローチャートである。
【００７７】
セル設計装置１０は、重複セルの抽出に使用する変数ｉ及びｋの初期値を１にそれぞれ設定する（ＳＴ４３１）。変数ｉは例えば、図１０に示すマトリクスｙの項番（キー）（換言するとマトリクスｙの行）に対応し、変数ｋは例えば、図１０に示すマトリクスｙの重複先項番（換言するとマトリクスｙの列）に対応する。ｉ及びｋは、例えば、１からＮ（同一ＰＣＩテーブルｙのレコード数）の整数のうち何れかの値である。
【００７８】
図１３において、セル設計装置１０は、同一ＰＣＩテーブルｙの項番ｉに対応するセル（以下、セルｉと呼ぶ）を重複セルの計算対象に設定する（ＳＴ４３２）。なお、以下、同一ＰＣＩテーブルｙの重複先項番ｋに対応するセルを「セルｋ」と呼ぶ。
【００７９】
セル設計装置１０は、ｉ＝ｋであるか否かを判定する（ＳＴ４３３）。ｉ＝ｋの場合（ＳＴ４３３：Ｙｅｓ）、セル設計装置１０は、ＳＴ４３７の処理（後述する処理条件（２）に基づく重複セルの抽出処理）に進む。換言すると、変数ｉ及び変数ｋが同一セルを表す場合、セル設計装置１０は、処理条件（１）に基づく重複セルの抽出処理をスキップする。
【００８０】
ｉ＝ｋではない場合（ＳＴ４３３：Ｎｏ）、セル設計装置１０は、セルｉとセルｋとの間の距離ｄ＿ｉｋを算出する（ＳＴ４３４）。例えば、セル設計装置１０は、セルｉ及びセルｋの緯度経度情報に基づいて、距離ｄ＿ｉｋを算出してよい。
【００８１】
セル設計装置１０は、距離ｄ＿ｉｋがセルｉのセル半径ＮＲＴ＿ｉ以上、かつ、距離ｄ＿ｉｋがセルｋのセル半径ＮＲＴ＿ｋ以上であるか否かを判断する（ＳＴ４３５）。
【００８２】
ｄ＿ｉｋ≧ＮＲＴ＿ｉかつｄ＿ｉｋ≧ＮＲＴ＿ｋである場合（ＳＴ４３５：Ｙｅｓ）、セル設計装置１０は、ＳＴ４３７の処理に進む。例えば、ｄ＿ｉｋ≧ＮＲＴ＿ｉかつｄ＿ｉｋ≧ＮＲＴ＿ｋである場合、セルｉを中心とし、半径ＮＲＴ＿ｉの円の範囲内にセルｋが存在せず、かつ、セルｋを中心とし、半径ＮＲＴ＿ｋの円の範囲内にセルｉが存在しない。このため、ｄ＿ｉｋ≧ＮＲＴ＿ｉかつｄ＿ｉｋ≧ＮＲＴ＿ｋである場合、セル設計装置１０は、セルｉ及びセルｋが処理条件（１）を満たす重複セルではないと判断する。
【００８３】
一方、ｄ＿ｉｋ＜ＮＲＴ＿ｉ、又は、ｄ＿ｉｋ＜ＮＲＴ＿ｋである場合（ＳＴ４３５：Ｎｏ）、セル設計装置１０は、マトリクスｙ（例えば、図１０を参照）のｉ行目ｋ列のカラムの値、及び、ｋ行目ｉ列のカラムの値に１を加算（インクリメント）する（ＳＴ４３６）。例えば、図１４に示すように、ｉ＝３及びｋ＝２の場合、セル設計装置１０は、３行目２列のカラムの値、及び、２行目３列のカラムの値をインクリメントする。ｄ＿ｉｋ＜ＮＲＴ＿ｉ又はｄ＿ｉｋ＜ＮＲＴ＿ｋである場合、セル設計装置１０は、セルｉ及びセルｋにおいて、一方のセルが他方のセルをハンドオーバ先の候補に設定可能である（換言すると、処理条件（１）を満たす重複セルである）と判断する。
【００８４】
図１３において、セル設計装置１０は、処理条件（２）に基づいて重複セルを抽出する（ＳＴ４３７）。なお、処理条件（２）に基づく重複セルの抽出処理の詳細については後述する。
【００８５】
セル設計装置１０は、変数ｋに１を加算（インクリメント）し、インクリメント後の変数ｋが同一ＰＣＩテーブルｙのレコード数Ｎ以下であるか否かを判断する（ＳＴ４３８）。ｋ≦Ｎの場合（ＳＴ４３８：Ｙｅｓ）、セル設計装置１０による処理は、ＳＴ４３２の処理に戻る。
【００８６】
ｋ≦Ｎではない場合（ＳＴ４３８：Ｎｏ）、セル設計装置１０は、変数ｉに１を加算（インクリメント）し、インクリメント後の変数ｉが同一ＰＣＩテーブルｙのレコード数Ｎ以下であるか否かを判断する（ＳＴ４３９）。ｉ≦Ｎの場合（ＳＴ４３９：Ｙｅｓ）、セル設計装置１０は、ｋの値を１に設定し（ＳＴ４４０）、セル設計装置１０による処理は、ＳＴ４３２の処理に戻る。ｉ≦Ｎではない場合（ＳＴ４３９：Ｎｏ）、セル設計装置１０は、図１３に示す処理を終了する。
【００８７】
セル設計装置１０は、図１３に示すＳＴ４３８及びＳＴ４３９の処理によって、変数ｉ及び変数ｋの値を変えて、マトリクスｙの各カラムの値を算出する。換言すると、図１３の処理により、同一ＰＣＩテーブルｙに含まれるセルの全ての組み合わせについて、処理条件（１）及び処理条件（２）の少なくとも一方を満たす重複セルが抽出される。
【００８８】
以上、処理条件（１）及び処理条件（２）に基づく重複セルの抽出処理（図９のＳＴ４３の処理）の詳細について説明した。
【００８９】
なお、図１３に示す処理条件（１）及び処理条件（２）に基づく重複セルの抽出処理は一例であって、図１３に示す処理に限定されない。セル設計装置１０は、処理条件（１）及び処理条件（２）をそれぞれ満たすセルを別の方法に従って特定してもよい。
【００９０】
次に、処理条件（２）に基づく重複セルの算出処理（図１３のＳＴ４３７の処理）の詳細について説明する。
【００９１】
図１５は、処理条件（２）に基づいて重複セルを算出する処理の一例を示すフローチャートである。
【００９２】
なお、図１５では、一例として、無線通信システム１の各セルに設定されるＮＲＴ半径の候補を４個（例えば、０．５ｋｍ、１ｋｍ、２ｋｍ及び１０ｋｍ）とする。また、図１５では、例えば、ＮＲＴ半径のうち、０．５ｋｍを「ＮＲＴ＿ｓｐｏｔ」と表し、１ｋｍを「ＮＲＴ＿ｍｉｎ」と表し、２ｋｍを「ＮＲＴ＿ｎｏｒｍａｌ」と表し、０．５ｋｍを「ＮＲＴ＿ｍａｘ」と表す。
【００９３】
また、図１５に示す処理において用いる変数ｉ及びｋは、図１３に示す処理において用いる変数ｉ及びｋと同一である。
【００９４】
図１５において、セル設計装置１０は、一時テーブルｉを作成する（ＳＴ４３７１）。
【００９５】
一時テーブルｉには、例えば、処理条件（２）において、セルｉ及びセルｋをＮＲＴに設定可能な他のセルの候補（以下、セルｍと呼ぶこともある）に関する情報が格納される。例えば、図１６に示すように、一時テーブルｉには、セル管理番号、ＮＲＴ半径、セルｉとの距離、及び、セルｋとの距離が含まれてもよい。一時テーブルｉは、例えば、セル設計装置１０（例えば、図５を参照）のデータベース１１に格納されてよい。なお、一時テーブルｉに含まれる情報は図１６に示す情報に限らない。
【００９６】
図１５において、セル設計装置１０は、全セルリスト（例えば、図７を参照）から、ＮＲＴ半径＝ＮＲＴ＿ｍａｘのセルについて、以下の全ての条件を満たすセルを抽出し、抽出したセル（換言すると、処理条件（２）を満たすセルの候補）の情報を一時テーブルｉに追加する（ＳＴ４３７２）。例えば、セル設計装置１０は、各セルの緯度経度情報に基づいて、以下の全ての条件を満たすセルを抽出してよい。
【００９７】
１つ目の条件を満たすセルは、例えば、図１７に示すように、セルｉを中心とした半径＝ＮＲＴ＿ｍａｘの内接円を有する正方形の範囲内に存在するセルである。また、２つ目の条件を満たすセルは、例えば、セルｋを中心とした半径＝ＮＲＴ＿ｍａｘの内接円を有する正方形の範囲内に存在するセルである。これらの２つの条件を満たすセルは、例えば、図１２に示す太線によって表される長方形の範囲内に存在する。
【００９８】
ＳＴ４３７２において、全てのセルのうち、ＮＲＴ半径がＮＲＴ＿ｍａｘ（換言すると、広域のＮＲＴ半径）であるセルを抽出の対象にすることにより、セル設計装置１０は、処理条件（２）を満たすセルの候補を抽出する処理の演算量を低減できる。
【００９９】
図１５において、セル設計装置１０は、全セルリスト（例えば、図７を参照）から、セルｉを中心とした半径＝ＮＲＴ＿ｎｏｒｍａｌの内接円を有する正方形の範囲内に存在するセルを抽出し、抽出したセル（換言すると、処理条件（２）を満たすセルの候補）の情報を一時テーブルｉに追加する（ＳＴ４３７３）。ＳＴ４３７３の処理により、セル設計装置１０は、ＳＴ４３７２の処理により抽出されたＮＲＴ半径＝ＮＲＴ＿ｍａｘのセルの他に、ＮＲＴ＿ｎｏｒｍａｌ以下のＮＲＴ半径を有するセルを抽出する。
【０１００】
なお、図１５では、ＳＴ４３７２においてＮＲＴ＿ｍａｘを用いて、ＳＴ４３７３においてＮＲＴ＿ｎｏｒｍａｌを用いる場合について説明した。しかし、ＳＴ４３７２及びＳＴ４３７３の処理において用いるＮＲＴ半径は、他のＮＲＴ半径でもよい。
【０１０１】
このように、ＳＴ４３７２及びＳＴ４３７３の処理によって、全てのセルの中から、処理条件（２）を満たすセルの候補（例えば、セルｍ）が絞り込まれる。よって、セル設計装置１０では、処理条件（２）を満たすセル（換言すると重複セル）の抽出に要する演算量を削減できる。なお、図１５において、セル設計装置１０は、ＳＴ４３７３を行わずに、ＳＴ４３７２の処理を行って、処理条件（２）を満たすセルの候補を抽出してもよい。
【０１０２】
セル設計装置１０は、一時テーブルｉに追加されたセルｍについて、セルｉとセルｍとの距離ｄ＿ｉｍ、及び、セルｋとセルｍとの距離ｄ＿ｋｍを算出する（ＳＴ４３７４）。例えば、セル設計装置１０は、セルｉ、セルｋ及びセルｍの緯度経度情報に基づいて、距離ｄ＿ｉｍ及び距離ｄ＿ｋｍを算出してよい。セル設計装置１０は、一時テーブルｉに追加された全てのセルｍ（換言すると図１６に示す一時テーブルｉの全ての行）について距離ｄ＿ｉｍ及び距離ｄ＿ｋｍを算出する。
【０１０３】
セル設計装置１０は、距離ｄ＿ｉｍがセルｍのＮＲＴ半径ＮＲＴ＿ｍ以下、かつ、距離ｄ＿ｋｍがセルｍのＮＲＴ半径ＮＲＴ＿ｍ以下であるか否かを判断する（ＳＴ４３７５）。
【０１０４】
ｄ＿ｉｍ≦ＮＲＴ＿ｍかつｄ＿ｋｍ≦ＮＲＴ＿ｍである場合（ＳＴ４３７５：Ｙｅｓ）、セル設計装置１０は、マトリクスｙ（例えば、図１０を参照）のｉ行目ｋ列のカラムの値、及び、ｋ行目ｉ列のカラムの値に１を加算（インクリメント）する（ＳＴ４３７６）。ｄ＿ｉｍ≦ＮＲＴ＿ｍかつｄ＿ｋｍ≦ＮＲＴ＿ｍである場合、例えば、図１２に示すように、セルｉ（例えば、ｉ＝Ａとする）及びセルｋ（例えば、ｋ＝Ｂとする）の双方をハンドオーバ先の候補に設定可能である他のセル（例えば、ｍ＝Ｘとする）が存在する。このため、セル設計装置１０は、セルｉ及びセルｋが処理条件（２）を満たすと判断する。
【０１０５】
一方、図１５において、ｄ＿ｉｍ＞ＮＲＴ＿ｍ又はｄ＿ｋｍ＞ＮＲＴ＿ｍである場合（ＳＴ４３７５：Ｎｏ）、セル設計装置１０は、図１５の処理を終了する。例えば、ｄ＿ｉｍ＞ＮＲＴ＿ｍ又はｄ＿ｋｍ＜ＮＲＴ＿ｍである場合、セルｉ及びセルｋの何れか一方はセルｍを中心とした半径＝ＮＲＴ＿ｍの円の範囲外に存在する。このため、セル設計装置１０は、セルｉ及びセルｋが処理条件（２）を満たす重複セルではないと判断する。
【０１０６】
以上、処理条件（２）に基づく重複セルの抽出処理（図９のＳＴ４３７の処理）の詳細について説明した。
【０１０７】
なお、図１５に示す処理条件（２）に基づく重複セルの抽出処理は一例であって、図１５に示す処理に限定されない。セル設計装置１０は、処理条件（２）を満たすセルを別の方法に従って特定してもよい。
【０１０８】
次に、処理条件（３）に基づくＰＣＩ重複回避の対象セルを特定する処理（図９のＳＴ４４の処理）の詳細について説明する。
【０１０９】
図１８は、処理条件（３）に基づいてＰＣＩ重複回避の対象セルを特定する処理の一例を示すフローチャートである。セル設計装置１０は、ＰＣＩ＝ｙ（例えば、１〜５０４）のそれぞれの値について、図１８に示す処理を行う。
【０１１０】
セル設計装置１０は、マトリクスｙの各行における全ての列のカラムの値の総和を、同一ＰＣＩテーブルｙ（例えば、図８を参照）の「重複数」の値に設定する（ＳＴ４５１）。例えば、図１４に示すマトリクスｙにおいて、ｚ行目（ｚ＝１，２，３及び４の何れか）の各カラムの値の総和は、図８に示す同一ＰＣＩテーブルｙのｚ行目（ｚ＝１，２，３及び４の何れか）の重複数の値に設定される。なお、ｚは、１から同一ＰＣＩテーブルｙのレコード数Ｎまでの整数の何れかである。
【０１１１】
図１８において、セル設計装置１０は、同一ＰＣＩテーブルｙ（例えば、図８を参照）の「重複数」の列において最大値となる項番ｗのセル（以下、セルｗと呼ぶ）を、重複回避対象セルリストに追加する（ＳＴ４５２）。例えば、図１９に示すように、セル設計装置１０は、項番ｗに対応するセル管理番号及びＰＣＩを、重複回避対象セルリストに格納する。重複回避対象セルリストは、例えば、セル設計装置１０（例えば、図５を参照）のデータベース１１に格納されてよい。なお、ｗは、１から同一ＰＣＩテーブルｙのレコード数Ｎまでの整数の何れかである。
【０１１２】
図１８において、セル設計装置１０は、重複回避対象セルリストに追加されたセルｗに対応する、マトリクスｙのｗ行目の全ての値、及び、重複先項番ｗの列の全ての値を０に設定する（ＳＴ４５３）。
【０１１３】
ＳＴ４５３の処理によって、ＳＴ４５２の処理において過去に重複回避対象セルリストに追加されたセルに対応する行の各カラムの値の総和は０となることにより、過去に重複回避対象セルリストに追加されたセルは、次回以降のＳＴ４５２におけるセルｗの選択対象から除かれる。
【０１１４】
セル設計装置１０は、マトリクスｙの各行における全ての列のカラムの値の総和を、同一ＰＣＩテーブルｙ（例えば、図８を参照）の「重複数」の値に上書き設定する（ＳＴ４５４）。
【０１１５】
セル設計装置１０は、同一ＰＣＩテーブルｙの「重複数」の列の値が全て０であるか否かを判断する（ＳＴ４５５）。重複数の列の値の少なくとも１つが０とは異なる値の場合（ＳＴ４５５：Ｎｏ）、セル設計装置１０による処理は、ＳＴ４５２の処理に戻る。一方、重複数の列の値が全て０である場合（ＳＴ４５５：Ｙｅｓ）、セル設計装置１０は、重複回避対象セルリストへ追加するセルが存在しないと判断し、図１８の処理を終了する。
【０１１６】
図１８の処理により、セル設計装置１０は、処理条件（１）及び処理条件（２）の少なくとも一方を満たす毎にカウントされた「重複数」の多いセルの順に、ＰＣＩ重複回避の対象セルを選択する。換言すると、セル設計装置１０は、例えば、図６に示すＳＴ１の処理によって割り当てられたＰＣＩにおいて、PCI Collision及びPCI Confusionの発生数がより多いセルの順に、ＰＣＩ重複回避の対象セルを選択する。
【０１１７】
図１８に示す処理により、重複数のより多いセルから順に、ＰＣＩ重複回避の対象セルに優先的に選択される。例えば、重複回避対象セルリストには、重複数のより多いセルが、１レコード目から順に格納されている。
【０１１８】
なお、セル設計装置１０は、重複数が同数のセルが存在する場合、所定の優先度に基づいて１つのセルをＰＣＩ重複回避の対象セルに選択してよい。例えば、同一ＰＣＩテーブルｙの項番が小さいほど（換言すると若番ほど）、優先度を高くしてもよい。
【０１１９】
また、図１８に示す処理条件（３）に基づくＰＣＩ重複回避の対象セルを特定する処理は一例であって、図１８に示す処理に限定されない。セル設計装置１０は、処理条件（３）に基づくＰＣＩ重複回避の対象セルを別の方法に従って特定してもよい。
【０１２０】
次に、処理条件（３）に基づくＰＣＩ重複回避の対象セルを特定する処理の具体例について説明する。
【０１２１】
図２０は、一例として、同一ＰＣＩテーブルｙ（例えば、ｙ＝１００）に、セルＡ、セルＢ、セルＣ及びセルＤが含まれる。また、図２０に示す矢印は仮想的なＮＲＴを示す。換言すると、無線通信システム１の運用時において、図２０に示す矢印によって対応付けられたセル間では、矢印の元のセルはハンドオーバの基点セルとなり、矢印の先のセルはハンドオーバ先の候補（換言すると、基点セルのＮＲＴに設定されるセル）になり得る。一例として、図２０において、セルＸのＮＲＴには、セルＡ、セルＢ及びセルＣが設定され得るので、セルＡ、セルＢ及びセルＣは、少なくとも処理条件（２）を満たす。
【０１２２】
図２０において、セル設計装置１０は、各セルの重複数（例えば、図８を参照）を算出する。以下では、一例として、処理条件（２）に基づく重複セルの抽出処理について説明する。
【０１２３】
図２０に示すように、セルＡとセルＢの組み合わせでは、セルＸに対して重複がカウントされる（Ａ：＋１及びＢ：＋１）。また、セルＡとセルＣの組み合わせでは、セルＸに対して重複がカウントされ（Ａ：＋１及びＣ：＋１）、セルＹに対して重複がカウントされる（Ａ：＋１及びＣ：＋１）。
【０１２４】
また、図２０に示すように、セルＢとセルＡの組み合わせでは、セルＸに対して重複がカウントされる（Ｂ：＋１及びＡ：＋１）。また、セルＢとセルＣの組み合わせでは、セルＸに対して重複がカウントされる（Ｂ：＋１及びＣ：＋１）。同様に、セルＢとセルＤの組み合わせでは、セルＺに対して重複がカウントされる（Ｂ：＋１及びＤ：＋１）。
【０１２５】
同様に、図２０に示すように、セルＣとセルＡの組み合わせでは、セルＸに対して重複がカウントされる（Ｃ：＋１及びＡ：＋１）。また、セルＣとセルＢの組み合わせでは、セルＸに対して重複がカウントされる（Ｃ：＋１及びＢ：＋１）。
【０１２６】
同様に、セルＤとセルＢの組み合わせでは、セルＺに対して重複がカウントされる（Ｄ：＋１及びＢ：＋１）。
【０１２７】
上記各セルの重複数算出の結果、セルＡの重複数＝５、セルＢの重複数＝６、セルＣの重複数＝５、及び、セルＤの重複数＝２となる。よって、セル設計装置１０は、セルＡ、セルＢ、セルＣ及びセルＤの中において、重複数が最大値となるセルＢを、ＰＣＩ重複回避の対象セルに抽出する（図１８のＳＴ４５２に対応）。
【０１２８】
次に、セル設計装置１０は、ＰＣＩ重複回避の対象セルの選択対象から、既に選択されたセルＢを除外し、残りのセルの組み合わせにおける重複数を算出する。
【０１２９】
例えば、図２０に示すように、セルＡとセルＣの組み合わせでは、セルＸに対して重複がカウントされ（Ａ：＋１及びＣ：＋１）、セルＹに対して重複がカウントされる（Ａ：＋１及びＣ：＋１）。また、図２０に示すように、セルＣとセルＡの組み合わせでは、セルＸに対して重複がカウントされる（Ｃ：＋１及びＡ：＋１）。
【０１３０】
上記各セルの重複数算出の結果、セルＡの重複数＝３、セルＣの重複数＝３、及び、セルＤの重複数＝０となる。よって、セル設計装置１０は、重複数が最大値となるセルＡ及びセルＣのうち何れか１つ（例えば、項番の若いセルＡ）を、ＰＣＩ重複回避の対象セルに抽出する（図１８のＳＴ４５２に対応）。
【０１３１】
ＰＣＩ重複回避の対象セルの選択対象から、既に選択されたセルＡ及びセルＢを除外した結果、残りのセルの組み合わせにおける重複数は０になるので、セル設計装置１０は、ＰＣＩ重複回避の対象セルの特定を終了する。
【０１３２】
よって、図２０では、同一のＰＣＩが割り当てられた複数のセルのうち、より多くのセルとの間において、処理条件（２）を満たすと判定されるセルのＰＣＩが優先的に再割り当てされる。換言すると、セル設計装置１０は、複数のセルのそれぞれに対して、同一のＰＣＩが割り当てられた無線エリアの各々の無線エリアとともにハンドオーバ先の候補に設定可能である他の無線エリア数をそれぞれ算出する。そして、セル設計装置１０は、同一のＰＣＩが割り当てられた無線エリアのうち、算出した上記他の無線エリア数がより多い方の無線エリアに割り当てられたＰＣＩを異なるＰＣＩに変更する。
【０１３３】
例えば、図２０に示すセルＸにおいて同一ＰＣＩが割り当てられたセルＡ及びセルＢに着目する。
【０１３４】
この場合、セルＡについて、セルＸに対してセルＡとともにセルＢ及びセルＣがハンドオーバ先の候補に設定可能であり、セルＹに対してセルＡとともにセルＣがハンドオーバ先の候補に設定可能である。よって、図２０では、複数のセルのそれぞれに対してセルＡとともにハンドオーバ先の候補に設定可能である他のセル数は２個（例えば、セルＢ及びセルＣ）である。一方、セルＢについて、セルＸに対してセルＢとともにセルＡ及びセルＣがハンドオーバ先の候補に設定可能であり、セルＺに対してセルＢとともにセルＤがハンドオーバ先の候補に設定可能である。よって、図２０では、複数のセルのそれぞれに対してセルＢとともにハンドオーバ先の候補に設定可能である他のセル数は３個（例えば、セルＡ、セルＣ及びセルＤ）である。よって、例えば、図２０において、セル設計装置１０は、セルＡ及びセルＢに割り当てられたＰＣＩのうち、セルＸ、セルＹ及びセルＺのそれぞれに対してセルＡ又はセルＢの各々とともにハンドオーバ先の候補に設定可能な他のセルの数がより多い方のセルＢに割り当てられたＰＣＩを、異なるＰＣＩに変更する。
【０１３５】
なお、図２０では、処理条件（２）について着目した。一方、処理条件（１）に着目した場合、同一のＰＣＩが割り当てられた複数のセルのうち、より多くのセルをハンドオーバ先の候補に設定可能であるセルのＰＣＩが優先的に再割り当てされる。換言すると、セル設計装置１０は、同一ＰＣＩが割り当てられた第１のセル及び第２のセルのうち、ハンドオーバ先の候補に設定可能なセル数が多い方のセルに割り当てられたＰＣＩを異なるＰＣＩに変更する。
【０１３６】
ここで、処理条件（１）又は処理条件（２）を満たす２つのセルのうち何れか一方のセルのＰＣＩが再割り当てされれば、他方のセルのＰＣＩは変更しなくてよい。よって、処理条件（１）及び処理条件（２）に基づいて算出される重複数のより多いセルのＰＣＩが再割り当てされることにより、ＰＣＩを変更しなくてよいセル数がより多くなる。よって、重複数のより多いセルのＰＣＩが再割り当てされることにより、ＰＣＩの再割り当て処理の演算量を削減できる。
【０１３７】
以上、ＰＣＩ重複回避の対象セルを特定する処理の詳細について説明した。
【０１３８】
次に、ＰＣＩの再割り当て処理（図６のＳＴ５）の詳細について説明する。
【０１３９】
図２１は、ＰＣＩの再割り当て処理の一例を示すフローチャートである。セル設計装置１０は、ＰＣＩ＝ｙ（例えば、１〜５０４）のそれぞれの値について、図２１に示す処理を行う。
【０１４０】
また、図２２は、セルＡのＰＣＩ再割り当て処理の一例を示す。図２２において、矢印の先のセルは、図２０と同様、矢印の元のセルのＮＲＴに含まれ得るセル（換言するとハンドオーバ可能なセル）を示す。また、図２２において、実線矢印と点線矢印とでは、使用周波数が異なる。図２２では、一例として、セルＡ，セルＢ，セルＣ，セルＤ，セルＹ及びセルＺの使用周波数は２ＧＨｚであり、セルＸの使用周波数は８００ＭＨｚである。なお、図２２において、セルＸの周波数は、セルＡと異なる周波数に限らず、同一周波数でもよい。
【０１４１】
セル設計装置１０は、重複回避対象セルリスト（例えば、図１９を参照）の１レコード目（例えば、１行目）に対応するセル（以下、セルｐと呼ぶ）をＰＣＩ再割り当て計算の対象に設定する（ＳＴ５１）。
【０１４２】
セル設計装置１０は、全セルリスト（例えば、図７を参照）に含まれるセルにおいて、セルｐの周波数と同一の周波数を有するセルであり、かつ、セルｐを中心とする半径ＮＲＴ＿ｐの内接円を有する正方形の範囲内に存在するセルのＰＣＩを、「再割り当て不可ＰＣＩリスト」（図示せず）に追加する（ＳＴ５２）。再割り当て不可ＰＣＩリストは、例えば、セル設計装置１０（例えば、図５を参照）のデータベース１１に格納されてよい。
【０１４３】
ＳＴ５２の処理により、セル設計装置１０は、ＰＣＩが変更されるセルｐに対してハンドオーバ先の候補に設定可能なセルに割り当てられるＰＣＩを、セルｐに対する異なるＰＣＩの設定に使用するＰＣＩの候補から除外する。よって、セルｐに再割り当てされるＰＣＩには、セルｐのＮＲＴに設定可能なセルのＰＣＩが含まれないので、設計条件（２）を満たす。例えば、図２２では、セルＡ（ｐ＝Ａ）の周波数と同一周波数のセル（例えば、セルＢ、セルＣ及びセルＤ）のＰＣＩが再割り当て不可ＰＣＩリストに追加される。
【０１４４】
なお、セル設計装置１０は、ＳＴ５２において、セルｐを中心とする半径ＮＲＴ＿ｐの円の範囲内に存在するセルのＰＣＩを再割り当て不可ＰＣＩリストに追加してもよい。
【０１４５】
図２１において、セル設計装置１０は、全セルリストに含まれるセルにおいて、ＮＲＴ半径＝ＮＲＴ＿ｍａｘのセルについて、以下の全ての条件を満たすセルｑを抽出する（ＳＴ５３）。１つ目の条件は、セルｐを中心とし、半径ＮＲＴ＿ｍａｘの内接円を有する正方形の範囲内に存在するセルであることである。また、２つ目の条件は、セルｐの周波数に対してハンドオーバ可能な周波数を有するセルであることである。
【０１４６】
また、図２１において、セル設計装置１０は、全セルリストに含まれるセルにおいて、ＮＲＴ半径≠ＮＲＴ＿ｍａｘのセルについて、以下の全ての条件を満たすセルｑを抽出する（ＳＴ５３）。１つ目の条件は、セルｐを中心とし、半径ＮＲＴ＿ｑの内接円を有する正方形の範囲内に存在するセルであることである。また、２つ目の条件は、セルｐの周波数に対してハンドオーバ可能な周波数を有するセルであることである。
【０１４７】
ＳＴ５３の処理によって抽出されるセルｑは、複数のセルのうち、ＰＣＩが変更されるセルｐをハンドオーバ先の候補に設定可能なセルである。例えば、図２２では、セルＡ（ｐ＝Ａ）に対して、セルｑは、セルＣ、セルＤ及びセルＸである。
【０１４８】
また、ＳＴ５３の前段の処理により、全てのセルのうち、ＮＲＴ半径がＮＲＴ＿ｍａｘであるセルを抽出の対象にすることにより、セル設計装置１０は、セルｑを抽出する処理の演算量を低減できる。
【０１４９】
なお、図２１では、ＳＴ５３においてＮＲＴ半径をＮＲＴ＿ｍａｘの場合とＮＲＴ＿ｍａｘ以外の半径の場合とに分けた処理について説明したが、ＮＲＴ半径を区別せずに、ＳＴ５３の処理が行われてもよい。
【０１５０】
図２１において、セル設計装置１０は、抽出した各セルｑに対して、各セルｑを含む全セルリストに含まれるセルにおいて以下の全ての条件を満たすセル（以下、セルｓと呼ぶ）のＰＣＩを再割り当て不可ＰＣＩリストに追加する（ＳＴ５４）。１つ目の条件は、セルｐと同一周波数を有するセルであることである。また、２つ目の条件は、セルｑを中心とし、半径ＮＲＴ＿ｑの内接円を有する正方形の範囲内に存在するセルであることである。
【０１５１】
ＳＴ５４の処理により、セル設計装置１０は、セルｑにおいてハンドオーバ先の候補に設定可能なセルｓに割り当てられたＰＣＩを、セルｐに対する異なるＰＣＩの設定に使用するＰＣＩの候補から除外する。よって、セルｐに再割り当てされるＰＣＩには、セルｑにおいてセルｐとともにＮＲＴに設定可能な他のセルのＰＣＩが含まれないので、設計条件（３）を満たす。例えば、図２２では、セルＹは、セルＡと同一周波数かつセルＸ（例えば、ｑ＝Ｘ）においてＮＲＴに設定可能なセルであり、セルＺは、セルＡと同一周波数かつセルＤ（例えば、ｑ＝Ｄ）においてＮＲＴに設定可能なセルである。よって、図２２では、セルＹのＰＣＩ及びセルＺのＰＣＩが再割り当て不可ＰＣＩリストに追加される。
【０１５２】
なお、ＮＲＴ＿ｎｏｒｍａｌを用いる場合に限らず、他のＮＲＴ半径を用いてもよい。
【０１５３】
図２１において、セル設計装置１０は、再割り当て不可ＰＣＩリストに存在しないＰＣＩの中から、セルｐに対する再割り当てＰＣＩを選択する（ＳＴ５５）。この処理により、ＰＣＩ重複回避の対象セルのＰＣＩが再割り当てＰＣＩに変更される。セルｐに再割り当てされたＰＣＩは、重複回避対象セルリスト（例えば、図１９を参照）から削除される。
【０１５４】
例えば、ＰＣＩは、「ローカルＩＤ」、「セルグループＩＤ」及び「ホッピングパターン」の組み合わせ（例えば、５０４通りの組み合わせ）によって一意に決定される。一例として、セル設計装置１０は、ＳＴ５５において、セルｐの再割り当てされるＰＣＩに選択可能なＰＣＩの中から、以下の優先度１〜４の順にＰＣＩを選択してよい。
１．変更前のＰＣＩと同一ローカルＩＤかつ同一ホッピングパターンのＰＣＩ
２．変更前のＰＣＩと同一ローカルＩＤかつ異なるホッピングパターンのＰＣＩ
３．変更前のＰＣＩと異なるローカルＩＤかつ同一ホッピングパターンのＰＣＩ
４．変更前のＰＣＩと異なるローカルＩＤかつ異なるホッピングパターンのＰＣＩ
【０１５５】
このように、セル設計装置１０は、変更前のＰＣＩのローカルＩＤ及びホッピングパターンに基づいて再割り当てＰＣＩを選択することにより、再割り当て後のＰＣＩの特性を、変更前のＰＣＩに近似させることができる。
【０１５６】
図２１において、セル設計装置１０は、重複回避対象セルリストに、次のレコード（換言すると、ＰＣＩ重複回避の対象セル）が存在するか否かを判断する（ＳＴ５６）。次のレコードが存在する場合（ＳＴ５６：Ｙｅｓ）、セル設計装置１０による処理は、ＳＴ５２の処理に戻る。一方、次のレコードが存在しない場合（ＳＴ５６：Ｎｏ）、セル設計装置１０は、図２１の処理を終了する。
【０１５７】
以上、ＰＣＩの再割り当て処理の詳細について説明した。
【０１５８】
［本開示の効果］
本開示の一態様では、セル設計装置１０は、無線通信システム１内の複数のセルのそれぞれに対して、セル数よりも少ない数のＰＣＩのうち１つを割り当てる。そして、セル設計装置１０は、或るセル（例えば、第１のセル）においてハンドオーバ先の候補に設定可能な第２のセル及び第３のセルの双方に割り当てられたＰＣＩが同一の場合、上記第２のセルのＰＣＩ及び上記第３のセルのＰＣＩのうち一方を他方と異なるＰＣＩに設定する。
【０１５９】
例えば、セル設計装置１０は、或るＰＣＩが割り当てられた２つのセルをハンドオーバ先の候補に設定可能な他のセルが存在すると判定した場合（例えば、処理条件（２）を満たす場合）、上記２つのセルのＰＣＩを互いに異なるＰＣＩに設定する。
【０１６０】
この処理により、ＡＮＲ機能が適用され、基地局２０の運用開始後にＮＲＴが基地局２０によって自動的に設定される場合でも、端末３０がアクセスする基地局２０のセルからハンドオーバ可能な複数のセル間のＰＣＩが同一になること（例えば、図２を参照）を防止できる。換言すると、基地局２０の運用開始前において、設計条件（３）を満たすＰＣＩ設計が可能となる。よって、端末３０が正常にハンドオーバでき、サービス品質を向上できる。
【０１６１】
さらに、セル設計装置１０は、同一ＰＣＩが割り当てられた２つのセルの一方が他方をハンドオーバ先の候補に設定可能である場合、上記２つのセルの少なくとも一方のＰＣＩを異なるＰＣＩに変更する。
【０１６２】
この処理により、ＡＮＲ機能が適用され、基地局２０の運用開始後にＮＲＴが基地局２０によって自動的に設定される場合でも、端末３０がアクセスする基地局２０のセルと、当該セルから端末３０がハンドオーバ可能なセルとの間に同一のＰＣＩが設定されることを防止できる。換言すると、基地局２０の運用開始前において、設計条件（２）を満たすＰＣＩ設計が可能となる。
【０１６３】
以上より、本開示の一態様によれば、ＡＮＲ機能を適用する場合において、基地局２０の運用開始前に、上述した「ＰＣＩ設計」において、設計条件（１）を満たすとともに、設計条件（２）及び（３）を満たし、各セルにＰＣＩを適切に割り当てできる。換言すると、本開示の一態様によれば、ＡＮＲ機能を適用し、事前にＮＲＴ設計が行われない場合でも、ＰＣＩ重複回避を考慮して、サービス品質を向上できる。
【０１６４】
また、本開示の一態様では、例えば、同一周波数かつ同一ＰＣＩが割り当てられる２つのセルの双方をＮＲＴに設定可能な他のセルが存在する場合に当該２つのセルに対するＰＣＩの再割り当て（換言すると、ＰＣＩ重複回避計算）が行われる。換言すると、全てのセルのうち、ＮＲＴ設定においてＰＣＩが重複する可能性のあるセルに対してＰＣＩ重複回避計算が行われる。これに対して、ＰＣＩ設計の際に、ＡＮＲ機能によりＮＲＴ設定される際に、ＰＣＩの重複が問題とならないセルに対してＮＲＴ設定を考慮したＰＣＩ設計（例えば、ＰＣＩ重複回避計算）が行われない。このように、セル設計装置１０は、２つのセルの双方をＮＲＴに設定可能な他のセルが存在するか否かを判定することにより、ＰＣＩ設計における不要な処理の発生を防止し、ＰＣＩ設計の演算量を低減できる。
【０１６５】
なお、本開示の一態様において、ＰＣＩの再割り当てでは、処理条件（１）又は処理条件（２）を満たす２つのセル間において異なるＰＣＩが割り当てられればよい。よって、処理条件（１）又は処理条件（２）を満たす２つのセルのうち何れか一方のＰＣＩが変更されてもよく、双方のＰＣＩが変更されてもよい。
【０１６６】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１６７】
例えば、本開示の一実施の形態における基地局、端末などは、本開示の無線通信方法の処理を行うコンピュータとして機能してもよい。図２３は、本開示の一実施の形態に係るセル設計装置、基地局及び端末のハードウェア構成の一例を示す図である。上述のセル設計装置１０、基地局２０及び端末３０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６８】
なお、以下の説明では、「装置」という文言は、回路、デバイス、ユニットなどに読み替えることができる。セル設計装置１０、基地局２０及び端末３０のハードウェア構成は、図に示した各装置を１つ又は複数含むように構成されてもよいし、一部の装置を含まずに構成されてもよい。
【０１６９】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１７０】
セル設計装置１０、基地局２０及び端末３０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１７１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のデータベース１１、パラメータ設計部１２（例えば、ＰＣＩ割当部１０１及び判定部１０４）などは、プロセッサ１００１で実現されてもよい。
【０１７２】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、セル設計装置１０、基地局２０及び端末３０を構成する少なくとも一部の機能ブロックは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１７３】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本開示の一実施の形態に係る通信制御方法を実施するために実行可能なプログラム（プログラムコード）、ソフトウェアモジュールなどを保存することができる。
【０１７４】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１７５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の通信部１３などは、通信装置１００４で実現されてもよい。
【０１７６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１７７】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１７８】
また、セル設計装置１０、基地局２０及び端末３０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１７９】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１８０】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１８１】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１８２】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１８３】
（入出力の方向）
情報及び信号等は、上位レイヤ(または下位レイヤ)から下位レイヤ(または上位レイヤ)に出力され得る。複数のネットワークノードを介して入出力されてもよい。
【０１８４】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１８５】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１８６】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１８８】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１８９】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１９０】
（「システム」、「ネットワーク」）
本明細書で使用する「システム」および「ネットワーク」という用語は、互換的に使用される。
【０１９１】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１９２】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ（Physical Uplink Control Channel）、ＰＤＣＣＨ（Physical Downlink Control Channel）など）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１９３】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「ｇＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ（ｇＮＢ）、アクセスポイント（access point）、フェムトセル、スモールセルなどの用語で呼ばれる場合もある。
【０１９４】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１９５】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１９６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１９７】
参照信号は、ＲＳ（Reference Signal）と略称することもでき、適用される標準によってパイロット（Pilot）と呼ばれてもよい。また、補正用ＲＳは、ＴＲＳ（Tracking RS）、ＰＣ−ＲＳ（Phase Compensation RS）、ＰＴＲＳ（Phase Tracking RS）、Additional RSと呼ばれてもよい。また、復調用ＲＳ及び補正用ＲＳは、それぞれに対応する別の呼び方であってもよい。また、復調用ＲＳ及び補正用ＲＳは同じ名称（例えば復調ＲＳ）で規定されてもよい。
【０１９８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９９】
上記の各装置の構成における「部」を、「手段」、「回路」、「デバイス」等に置き換えてもよい。
【０２００】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０２０１】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０２０２】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０２０３】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよいし、１ミニスロットをＴＴＩと呼んでもよい。
【０２０４】
例えば、１サブフレームをＴＴＩと呼んでもよいし、複数の連続したサブフレームをＴＴＩと呼んでもよいし、１スロットをＴＴＩと呼んでもよい。
【０２０５】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０２０６】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０２０７】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０２０８】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０２０９】
以上、本開示について詳細に説明したが、当業者にとっては、本開示が本明細書中に説明した実施形態に限定されるものではないということは明らかである。本開示は、特許請求の範囲の記載により定まる本開示の趣旨及び範囲を逸脱することなく修正及び変更態様として実施することができる。したがって、本明細書の記載は、例示説明を目的とするものであり、本開示に対して何ら制限的な意味を有するものではない。
【産業上の利用可能性】
【０２１０】
本開示の一態様は、移動通信システムに有用である。
【符号の説明】
【０２１１】
１  無線通信システム
１０  セル設計装置
１１  データベース
１２  パラメータ設計部
１３  通信部
２０  基地局
３０  端末
１０１  ＰＣＩ割当部
１０２  判定部
１０３  制御部
【図１】
2019193225.tif 000003
【図２】
2019193225.tif 000004
【図３】
2019193225.tif 000005
【図４】
2019193225.tif 000006
【図５】
2019193225.tif 000007
【図６】
2019193225.tif 000008
【図７】
2019193225.tif 000009
【図８】
2019193225.tif 000010
【図９】
2019193225.tif 000011
【図１０】
2019193225.tif 000012
【図１１】
2019193225.tif 000013
【図１２】
2019193225.tif 000014
【図１３】
2019193225.tif 000015
【図１４】
2019193225.tif 000016
【図１５】
2019193225.tif 000017
【図１６】
2019193225.tif 000018
【図１７】
2019193225.tif 000019
【図１８】
2019193225.tif 000020
【図１９】
2019193225.tif 000021
【図２０】
2019193225.tif 000022
【図２１】
2019193225.tif 000023
【図２２】
2019193225.tif 000024
【図２３】
2019193225.tif 000025